(57)【要約】本発明は、容器（２）の内壁にバリヤ材料からなる薄膜をプラズマ蒸着する装置（１）に関する。この装置（１）は、電磁波発生器（３）と、電磁波発生器（３）に接続され、導電性材料で作られているキャビティ（５）と、キャビティ（５）内に配置され、電磁波発生器（３）からの電磁波を透過させる材料で作られているチャンバ（６）と、を有している。この装置（１）は、チャンバ（６）の冷却手段（１４、１５；１６）を備えていることを特徴としている。
2009512785.tif 000002
【特許請求の範囲】
【請求項１】
容器（２）の内壁にバリヤ材の薄膜をプラズマ蒸着する装置（１）であって、
電磁波発生器（３）と、
前記電磁波発生器（３）に接続され、導電性材料で作られているキャビティ（５）と、
前記キャビティ（５）内に配置され、前記電磁波発生器（３）からの電磁波を透過させる材料で作られているチャンバ（６）と、
を有し、
前記チャンバ（６）の冷却手段（１４、１５；１６）を備えていることを特徴とする、装置（１）。
【請求項２】
前記冷却手段は、前記キャビティ（５）内に形成された複数の開口（１４）を有することを特徴とする、請求項１に記載の装置（１）。
【請求項３】
前記複数の開口（１４）は互いに平行な方向を向いていることを特徴とする、請求項２に記載の装置（１）。
【請求項４】
前記複数の開口（１４）は前記装置（１）の軌線に対してある角度をなす方向に向けられていることを特徴とする、請求項３に記載の装置（１）。
【請求項５】
前記角度は５°から４５°の間であることを特徴とする、請求項４に記載の装置（１）。
【請求項６】
前記キャビティ（５）の上流に位置し、前記キャビティ（５）に面するファン（１５）を有することを特徴とする、請求項２から５のいずれか１項に記載の装置（１）。
【請求項７】
前記複数の開口（１４）は前記キャビティ（５）の実質的に全周にわたって分布していることを特徴とする、請求項２から６のいずれか１項に記載の装置（１）。
【請求項８】
前記複数の開口（１４）は前記キャビティ（５）の実質的に全高にわたって分布していることを特徴とする、請求項２から７のいずれか１項に記載の装置（１）。
【請求項９】
前記複数の開口（１４）の前記キャビティ（５）全体における密度は１／ｃｍ2から１０／ｃｍ2の間であることを特徴とする、請求項２から８のいずれか１項に記載の装置（１）。
【請求項１０】
前記冷却手段は、前記チャンバ（６）内で空気を循環させるのに適した装置を有することを特徴とする、請求項１から９のいずれか１項に記載の装置（１）。
【請求項１１】
前記装置は、前記チャンバ（６）の下に位置するファン（１６）を有することを特徴とする、請求項１０に記載の装置（１）。
【請求項１２】
前記装置は、前記チャンバ（６）に接続された空気供給管路及び真空ポンプを有することを特徴とする、請求項１０に記載の装置（１）。
【発明の詳細な説明】
【技術分野】
【０００１】
本発明は、バリヤ材料を有する層が製造中に内壁に被覆される容器の製造に関する。
【背景技術】
【０００２】
プラズマによるバリヤ材料の蒸着は公知である。この技術は、本願出願人の出願による欧州特許出願公開第１０６８０３２号明細書、または米国特許第５５２２３５１号明細書に詳細に説明されている。
【０００３】
このような蒸着に用いる装置も、上記欧州特許出願公開第１０６８０３２号明細書に記載されている。この装置は、電磁波発生器と、電磁波発生器に接続され、導電性材料（一般に金属）で作られたキャビティと、キャビティ内に配置され電磁波発生器からの電磁波を透過させる材料（一般に石英）で作られたチャンバと、を有している。
【０００４】
容器がチャンバ内に導入された後、中程度の真空（約３０ミリバールから１００ミリバール）をチャンバ内で発生させると共に、高真空（数マイクロバール）を容器内で発生させる。前駆気体（アセチレンなど）が容器内に導入され、電磁衝撃（一般に２．４５ＧＨｚの低出力ＵＨＦマイクロ波）によって活性化される。この結果、前駆気体は低温プラズマ状態に転換され、容器の内壁に薄膜（約６０ｎｍから２００ｎｍ）として蒸着される炭化水素（ＣＨ、ＣＨ2、ＣＨ3を含む）を含む核種が発生する。
【０００５】
処理される容器は一般に、２０℃で電磁波を透過させるＰＥＴ（テレフタル酸ポリエチレン）などの、熱可塑性ポリマーで作られている。石英も同様である。その誘電性は電磁波の（約２０℃の温度での）透過にとって好ましく、石英は容器を取り囲むチャンバの製造に特に魅力的である。
【０００６】
実験室の条件下では、材料の準備とその後の（特に温度と圧力に関する）条件設定を含む容器の処理には、数分から数時間かかることさえある。
【０００７】
工業的な製造のためには、上述の種類の（たとえば２０基程度の）装置のセットが回転台上に取り付けられ、数千の容器が、スケジュールに従って処理するために連続的に動作する。単位（つまり装置あたりの）サイクル時間は数秒である。
【発明の開示】
【発明が解決しようとする課題】
【０００８】
この周期では、実験室の作業者が一般には遭遇しない問題が発生する。そして、発明者らは、工業的なプロセスにおいては、バリヤ層の厚さの不揃いとＰＥＴ容器の変形が発生することに気付いた。
【０００９】
本発明は、プラズマ処理中にバリヤ層をより均一に分布させ容器の変形を低減することを可能にする解決策を提案することによって、特にこの問題を解決することを目的とする。
【課題を解決するための手段】
【００１０】
そのために、本発明は、容器の内壁にバリヤ材の薄膜をプラズマ蒸着する装置であって、電磁波発生器と、電磁波発生器に接続され、導電性材料で作られているキャビティと、キャビティ内に配置され、電磁波発生器からの電磁波を透過させる材料で作られているチャンバと、チャンバの冷却手段と、を有する装置を提案する。
【００１１】
詳細な研究の結果、発明者らは、バリヤ層の不揃いは、同一の原因に基づく２つの現象に起因するのではないかという仮説を立てた。
【００１２】
第１の現象：工程中の不適切なタイミングでの容器の加熱。マイクロ波のＰＥＴの透過は、実際には材料温度についての減少関数となる。ＰＥＴは約２０℃ではマイクロ波を完全に透過させると考えられるが、この透過性は、約５０℃ではもはや十分ではなく、その結果、ある程度のプラズマの不均一性が発生する。石油化学工業から供給される原材料（ＰＥＴ）の価格の上昇に伴って現在その数が増加傾向にある薄肉容器（約２００μｍ以下）と呼ばれる容器の場合には、容器の加熱が別の結果をもたらすことがある。つまり、薄肉容器の延伸ブローでは、実際には、成形される容器に残留応力が発生する。以降の処理がない場合は、この応力は問題とならない。しかし、容器がプラズマ処理の際に加熱される場合、加熱によって解放された残留応力が容器の局所的な変形の原因となる（ガラス転移温度に近い場合、なおさら顕著である）。そのため、容器の処分が必要となる。
【００１３】
発明者らは、この加熱は、実際には石英チャンバの加熱によってもたらされ、チャンバから容器への熱伝達は対流によって生じている可能性があると考えた。チャンバ壁と容器間の圧力は大気圧に比べて非常に低い（約３０ミリバールから１００ミリバール）ため、この仮説は大胆である。
【００１４】
第２の現象は、電磁マイクロ波に対するチャンバの透過性の減少である。これは前駆気体の不均一な衝撃をもたらす。発明者らは、チャンバの相対的な不透明性は、その温度の上昇によるものであり、選択した材料（この場合は石英）内に不純物が存在していれば、電磁マイクロ波の作用によるチャンバの加熱が十分に引き起こされると考えた。発明者らの知るところによれば、マイクロ波に対して完全に透過的と考えられる材料温度がわずかに上昇（この場合、チャンバの温度は工業的な生産の場合６０℃であるのに対して、実験室の状態ではこの温度は２０℃である。）することが問題になるとはこれまで考えられていなかったので、この仮説も大胆に思える。
【００１５】
発明者らによって立てられた仮説の妥当性は、提案された解決策を実施することによって立証された。すなわち、（約３０℃未満の温度に維持するように）チャンバを冷却することによって、ボトルの変形が抑えられると共に、バリヤ層のより均一な分布が効果的に得られた。
【００１６】
一実施態様によれば、冷却手段はキャビティ内に形成された複数の開口を有している。この開口は、好ましくは互いに平行な方向を向いており、たとえば、装置の軌線に対してある角度をなす方向に向けられている。これらの開口によって、装置が移動したときに、チャンバを冷却する空気流がもたらされる。
【００１７】
装置の軌線に対して開口の軸線のなす角度は、たとえば５°から４５°の間である。
【００１８】
さらに、キャビティ内のチャンバの周りの空気の循環を助けるように、ファンを、キャビティの上流に位置し、キャビティに面するように設けてもよい。
【００１９】
複数の開口はキャビティの実質的に全周にわたって、および／または、キャビティの実質的に全高にわたって分布していることが好ましい。さらに、複数の開口のキャビティ全体における分布密度は、たとえば、１／ｃｍ2から１０／ｃｍ2の間である。
【００２０】
冷却手段は、複数の開口に加えてまたは複数の開口に代えて、チャンバ内で空気を循環させるのに適した装置を有していてもよい。装置は、たとえば、チャンバの下または上に位置するファン、または、チャンバに接続された空気供給管路及び真空ポンプを、有している。
【００２１】
本発明のその他の目的及び利点は、添付図面を参照する以下の説明から明らかになるであろう。
【発明を実施するための最良の形態】
【００２２】
図１は、ＰＥＴなどの熱可塑性材料からなる予備成型品をブロー成形または延伸ブロー成形することによって事前に形成された容器２の内壁へバリヤ層をプラズマ蒸着する装置１を示している。
【００２３】
この装置１は、使用されている工業用語に合わせて以降リアクタと呼ぶが、周波数２．４５ＧＨｚの低出力電磁マイクロ波の発生器３を有している。発生器３は、導波器４によって、鋼や（好ましくは）アルミニウムまたはアルミニウム合金などの導電性材料で作られたキャビティ５に接続されている。キャビティ５内には、石英などの電磁マイクロ波の透過に適した材料で作られたチャンバ６が配置されている。なお、キャビティ５の壁厚は約５ｍｍであり、チャンバ６の壁厚は２ｍｍから３ｍｍの間である。
【００２４】
リアクタ１は、１つ以上のローディングステーションと１つ以上のアンローディングステーションの間で、回転する回転台７に、いくつかの容器２を同時に処理できるように同様の一組のリアクタと共に取り付けられている。この回転台７は、図２，３において、複数のキャビティ５の軸線Ｘを通る円形の軌線によって示されている。
【００２５】
キャビティ５とチャンバ６は共に、容器２がチャンバ６内で密封されるように、取り外し可能なカバー８によって覆われている。アセチレンなどの前駆気体を容器２内に導入するインジェクタ９がカバー８を貫通している。容器２が懸架される支持部１０がカバー８に取り付けられている。この支持部１０は、反応の終了時に残留核種が通過する排出後チャンバ１２に開口する孔１１を有している。排出後チャンバ１２は残留核種排出回路１３に連通しており、残留核種排出回路１３は、前駆気体の導入前に容器内２に（数ミリバールの）高真空を発生させる役割と、反応の終了時に残留核種を排出する役割の両方を持つポンプ（不図示）に連結されている。
【００２６】
チャンバ６は、容器２の導入後チャンバ６を容器２の内部から隔離し、チャンバ６内に（３０ミリバールから１００ミリバールの間の）中程度の真空を発生させることができる弁によっても、回路１３に連結されている。チャンバ６内の圧力は容器２の厚さに依存する。１００ミリバール程度の真空は、通常の厚さ（約０．３５ｍｍ）の容器には適しているが、薄い（約０．２ｍｍ）容器には適しておらず、内外の圧力差は容器が潰れるのに十分であろう。このような薄い容器に対しては、３０ミリバール程度の真空をチャンバ内で発生させる。
【００２７】
導入部で述べた、チャンバ６の加熱と加熱によって発生するすべての欠点とを回避するため、各リアクタ１には、チャンバ６の冷却手段が設けられている。
【００２８】
この冷却手段はさまざまな形態を取ることができる。
【００２９】
第１の実施形態によれば、チャンバ６は外部から冷却される。キャビティ５は、好ましくはキャビティ５の周囲全体にわたって（または、その一部だけでもよい。）、かつ、その高さ全体にわたって（または、その一部だけでもよい。）分布する複数の開口１４を有している。回転台７が回転すると、図４に示すように、キャビティ５内に空気流（図４では場の曲線Ｌで示している。）が発生し、一方の側から他方の側へとキャビティを通過してチャンバ６を冷却する。この結果、チャンバ６は、マイクロ波の透過に影響せず、かつチャンバ６と容器２との間の熱伝導が容器の顕著な加熱につながらないような十分に低い温度（３０℃以下）に維持される。
【００３０】
開口１４の断面は円形であっても矩形であってもよい。開口１４の直径（または辺長）は１ｍｍから１０ｍｍの間であることが好ましく、分布密度は、回転台７の回転速度と所望の冷却効果とに依存して、１／ｃｍ2から１０／ｃｍ2の間であることが好ましい。
【００３１】
開口１４の分布パターンの２つの例を図６，７に示している。
【００３２】
第１の例（図６）によれば、直径３ｍｍの開口１４が、さいころの「５」の目状に重なった複数の列となって配置されている。同一列内の２つの開口１４間の間隔Ｅは約５ｍｍであり、隣接する２つの列の離間距離Ｈは４．３ｍｍである（言い換えれば、同一列内の開口１４の中心を結ぶ直線と、隣接する列内の隣接する２つの開口の中心を結ぶ線との間の角度は約６０°である。）。
【００３３】
第２の例（図７）によれば、直径が約４ｍｍの複数の開口１４が市松模様に配置されている。同一列内の隣接する２つの開口１４間の距離Ｅ′は約９ｍｍであり、隣接する２つの列の離間距離は約８ｍｍである。
【００３４】
開口１４は半径方向を向いていてもよい。しかし、気流を最適化するには、開口１４は互いに平行な方向を向いていることが好ましい。そして、開口１４は、（開口１４の軸線を表す複数の点線が引かれた図２に示すように、）回転台７の軌線に対する局所的な接線Ｔと平行な方向を向いていてもよいし、隣接しているキャビティ５′から高温の空気を引き込むのを避けつつ、とりわけキャビティ５内に新鮮な空気を引き込むように、（図３に示すような）回転方向を考慮して、回転台７の外側を向くように、接線Ｔに対してある角度をなしていてもよい。
【００３５】
空気の強制循環がない場合、開口１４の軸線の傾斜角度は５°から４５°の間であることが好ましい。
【００３６】
しかし、各リアクタ１に、開口１４の軸線上の位置に、キャビティ５に面し、かつキャビティ５の前面に（つまり、回転台の回転方向を考慮してキャビティ５の上流に）位置するようにファン１５を設けることが可能である。この場合、開口１４の軸線の傾斜角度の重要性は低くなるが（たとえば、開口１４の軸線を、軌線に対する局所的な接線Ｔに対して垂直に向けることができる。）、先行しているキャビティ５からの高温の空気流を引き込むのを避けるために、この角度は５°を超えていることが好ましい。
【００３７】
変形例では、空気流はチャンバ６自体の中で発生させられる。この空気流は、（チャンバ内の圧力が３０ミリバールから１００ミリバールの間であることを考慮して、）チャンバ６の下に配置されたファン１６であって、電磁波の影響からファン１６を保護する（たとえば金属製の）絶縁グリッド１７によってチャンバ６から分離されたファン１６によって作ることができる。図５に示すように、ファン１６は、容器２の周囲にループ状に空気を循環させるようにチャンバ６の外周側にずれていることが好ましい。図示しないが、他の実施形態では、ファン１６は、チャンバ６の上部に位置していてもよい。上述の圧力においても、このような空気の循環は、チャンバ６と容器２との間の対流熱伝達を制限し、チャンバ６と容器２を、良好なマイクロ波の透過を確保し、かつ容器２内に存在している可能性のある残存応力が開放されない温度に維持するのに十分であろう。
【００３８】
変形例では、一方の端部から外気（または任意の他の不活性気体）を注入し、同時に他方の端部で空気を吸い出すことによって、チャンバ６内に強制的な循環を発生させ、これによって、冷却を行いながらチャンバ６内の中程度の真空を安定に維持することが可能である。実際には、たとえば、チャンバ６の一部（たとえば基部）を空気供給管路に接続し、他の一部（たとえば上部）を真空ポンプに接続し、供給流量と吸い出し流量の調整を、たとえば、圧力センサを用いて計測可能なチャンバ６内の圧力に応じてフィードバック制御することが考えられる。
【００３９】
前述のさまざまな構成を組み合わせることが可能である。従って、ファンと組み合わせまたは組み合わせずに、キャビティ５内の開口によって外部からチャンバ６を冷却し、これと同時に、ファンまたは注入／吸い出し結合装置のいずれかによって発生させた空気の循環によって、内部からチャンバ６を冷却することができる。
【００４０】
どのような構成が採用されても、チャンバ６の外部および／または内部からの冷却によって、容器２の内壁上におけるバリヤ層の分布不良という前述の問題が解消されることがわかった。この分布は、これまでの分布よりも少なくともより一様であって、軽量容器の機械的挙動が改善されることがわかった。
【図面の簡単な説明】
【００４１】
【図１】容器の内壁にバリヤ層をプラズマ蒸着する装置の、高さ方向の断面図である。
【図２】同一の回転台に取り付けられた２つの隣接した装置を示す模式図である。
【図３】変形例の、図２と同様の模式図である。
【図４】空気流が通過している状態の装置を示す部分断面図である。
【図５】変形例の装置を示す、高さ方向の部分断面図である。
【図６】キャビティ全体における開口の分布を示す一構成例の詳細図である。
【図７】キャビティ全体における開口の分布を示す一構成例の詳細図である。
【図１】
2009512785.tif 000003
【図２】
2009512785.tif 000004
【図３】
2009512785.tif 000005
【図４】
2009512785.tif 000006
【図５】
2009512785.tif 000007
【図６】
2009512785.tif 000008
【図７】
2009512785.tif 000009
【国際調査報告】
2009512785.tif 000010
2009512785.tif 000011
2009512785.tif 000012
2009512785.tif 000013
2009512785.tif 000014
2009512785.tif 000015
2009512785.tif 000016
2009512785.tif 000017